(57)【要約】【課題】遠隔地にいる通信相手に対して自分のいる場所の状況を知らせるための画像を送信する際、より認知しやすい画像を通信相手に送信可能にした携帯電話機を提供する。【解決手段】筐体の一面に設けられた第１のカメラ１０２と、第１のカメラと同一の面に設けられ、第１のカメラとレンズの視野角が異なる第２のカメラ１０３と、第１のカメラおよび第２のカメラの２つのカメラのうちいずれか一方の動作中に、カメラ切り替え指示が入力されると、動作させるカメラを２つのカメラのうち他方に切り替える制御部と、２つのカメラのうち動作中のカメラによる撮影画像を基地局を介して外部に送信する通信部と、を有する構成である。【選択図】図１
2008147756.tif 000002
【特許請求の範囲】
【請求項１】
筐体の一面に設けられた第１のカメラと、
前記第１のカメラと同一の面に設けられ、該第１のカメラとレンズの視野角が異なる第２のカメラと、
前記第１のカメラおよび前記第２のカメラの２つのカメラのうちいずれか一方の動作中に、カメラ切り替え指示が入力されると、動作させるカメラを前記２つのカメラのうち他方に切り替える制御部と、
前記２つのカメラのうち動作中のカメラによる撮影画像を基地局を介して外部に送信する通信部と、
を有する携帯電話機。
【請求項２】
前記２つのカメラのうちいずれか一方のカメラのレンズが魚眼レンズである請求項１記載の携帯電話機。
【請求項３】
前記制御部は、
前記２つのカメラのいずれかで動画撮影を実行中に前記カメラ切り替え指示が入力されると、切り替え後のカメラで前記動画撮影を続行する、請求項１または２記載の携帯電話機。
【請求項４】
前記制御部は、
前記カメラ切り替えの指示を含む信号を前記通信部を介して外部の情報端末から受信すると、切り替えたカメラの撮影画像を前記情報端末に送信する、請求項１から３のいずれか１項記載の携帯電話機。
【請求項５】
撮影方向を変更可能なカメラと、
前記カメラの動作中に、撮影方向変更の指示が入力されると、該指示にしたがって前記カメラに撮影方向を変えさせる制御部と、
前記カメラの撮影画像を基地局を介して外部に送信する通信部と、
を有する携帯電話機。
【請求項６】
前記撮影方向変更の指示に撮影方向を示す角度の情報が含まれ、
前記制御部は、
前記指示が入力されると、前記角度の情報にしたがって前記カメラを動かして筺体に対するレンズ角度を変更する、請求項５の携帯電話機。
【請求項７】
前記制御部は、
前記撮影方向変更の指示を含む信号を前記通信部を介して外部の情報端末から受信すると、前記カメラの撮影方向を変化させた後、前記カメラの撮影画像を前記情報端末に送信する、請求項５または６記載の携帯電話機。
【発明の詳細な説明】
【技術分野】
【０００１】
本発明は、カメラを内蔵し、静止画および動画の撮影ならびに撮影された画像を基地局を介して外部に送信可能な携帯電話機に関する。
【背景技術】
【０００２】
動画をやり取りしながら通話可能なテレビ携帯電話機は、従来、本体に１つまたは２つのカメラを有していた。２つのカメラを有する場合、そのうち１つはディスプレイを見ながら撮影者自身を撮影するためのカメラであり、撮影者以外の一般的な対象物を撮影するためのカメラは１つであった。よって撮影者は、撮影者以外はどのような対象物に対しても同一のカメラを用いて撮影を行っていた。
【０００３】
また、従来のテレビ携帯電話機におけるカメラの撮影方向は、携帯電話機本体に対して固定してあった。特許文献１に開示されているように、ズームレンズを搭載することにより、撮影倍率を変更可能なものもあった。しかしながらテレビ携帯電話本体に対するカメラの撮影方向を変えることは不可能であった。よって、撮影方向を変えたい場合は、撮影者がテレビ携帯電話機本体を動かして、撮影方向を変えることで対応していた。
【特許文献１】特開２００３−３０９６３２号公報
【発明の開示】
【発明が解決しようとする課題】
【０００４】
近年、テレビ携帯電話機の新たな使用法としてテレサポートが注目されている。テレサポートとは、視覚障害者がテレビ携帯電話機にて撮影した画像を送信することにより、遠隔にいる介助者が視覚障害者に対して視覚障害者の目の前にある情報を伝えるサポート法である。ここで、視覚障害者が求める情報は多岐にわたるため、通常のカメラによる画像だけでは情報を得るのが困難な場合がある。例えば、紙に印刷された文書の内容をテレサポートによって知りたい場合は、通常のカメラで撮影した画像で充分である。
【０００５】
しかし、例えば、視覚障害者が物を落としてしまい、それを探すためにテレサポートを用いる場合などは、通常よりも広角な画像を介助者に送信するほうが望ましい。ところが、従来のテレビ携帯電話機には一般的なレンズを用いたカメラが１つしか搭載されておらず、そのような広角画像の撮影ができなかった。
【０００６】
また、従来のテレビ携帯電話機を用いてテレサポートを行う場合において、介助者が希望する被写体が画像に含まれていない場合、撮影方向変更を希望する介助者からの「もうすこし右」や「もうすこし下」というような音声による指示にしたがって、視覚障害者がテレビ携帯電話機本体を動かして方向を変える必要があった。そのため、介助者の希望するとおりの方向に調整するのは手間がかかるだけでなく、視覚障害者に負担がかかっていた。
【０００７】
本発明は上述したような従来の技術が有する問題点を解決するためになされたものであり、遠隔地にいる通信相手に対して自分のいる場所の状況を知らせるための画像を送信する際、より認知しやすい画像を通信相手に送信可能にした携帯電話機を提供することを目的とする。
【課題を解決するための手段】
【０００８】
上記目的を達成するための本発明のテレビ携帯電話機は、
筐体の一面に設けられた第１のカメラと、
前記第１のカメラと同一の面に設けられ、該第１のカメラとレンズの視野角が異なる第２のカメラと、
前記第１のカメラおよび前記第２のカメラの２つのカメラのうちいずれか一方の動作中に、カメラ切り替え指示が入力されると、動作させるカメラを前記２つのカメラのうち他方に切り替える制御部と、
前記２つのカメラのうち動作中のカメラによる撮影画像を基地局を介して外部に送信する通信部と、
を有する構成である。
【０００９】
本発明では、カメラで撮影する携帯電話機から遠隔地にあっても、視野角の異なる２種類の撮影画像を基地局を介して取得することが可能となる。視野角の異なる２種類の撮影画像から撮影場所の状況をより把握しやすくなる。
【００１０】
また、本発明の携帯電話機は、
撮影方向を変更可能なカメラと、
前記カメラの動作中に、撮影方向変更の指示が入力されると、該指示にしたがって前記カメラに撮影方向を変えさせる制御部と、
前記カメラの撮影画像を基地局を介して外部に送信する通信部と、
を有する構成である。
【００１１】
本発明では、カメラで撮影する携帯電話機から遠隔地にあっても、様々な撮影方向の撮影画像を基地局を介して取得することが可能となるため、撮影場所の状況をより把握しやすくなる。
【発明の効果】
【００１２】
視覚障害者をテレサポートする介助者が遠隔地にいても、本発明の携帯電話機から介助者の情報端末に撮影画像を送信し、視覚障害者の要求する情報に応じて撮影画像の視野角や撮影方向を変更することで、介助者は、情報を読み取るのに最適な画像を確保し、視覚障害者へのサポートをより容易にすることができる。
【発明を実施するための最良の形態】
【００１３】
本発明の携帯電話機は、カメラの視野角を変更可能にした構成、または、カメラの撮影方向を変更可能にした構成を備えたことを特徴とする。
【００１４】
以下に、本発明の携帯電話機の実施例を説明する。実施例の携帯電話機は、動画を撮影するとともに動画像を他の携帯電話機に基地局を介して送信可能なテレビ携帯電話機の場合で説明する。また、実施例は、介助者が視覚障害者に対してテレサポートをするために、介助者側のテレビ携帯電話機と視覚障害者側のテレビ携帯電話機との間で通信させる場合とする。
【実施例１】
【００１５】
本実施例のテレビ携帯電話機について図面を参照して説明する。図１は視覚障害者側のテレビ携帯電話機を示す模式図である。図１（ａ）は外観斜視図であり、図１（ｂ）は側面図である。
【００１６】
図１に示すように、視覚障害者側のテレビ携帯電話機１０１には、その筺体の同一側面に２つのカメラ１０２、１０３が設けられている。また、画像撮影を行うカメラを切り替えるためのカメラ切り替えボタン１０４が、カメラ１０２、１０３の設けられた面とは反対側の面に設けられている。なお、カメラ切り替えボタン１０４を設ける面は、カメラ１０２、１０３の面と反対側の面に限らず、その他の面であってもよい。
【００１７】
図２（ａ）は視覚障害者側のテレビ携帯電話機の一構成例を示すブロック図であり、図２（ｂ）は介助者側のテレビ携帯電話機の一構成例を示すブロック図である。
【００１８】
図２（ａ）に示すように、視覚障害者側のテレビ携帯電話機１０１は、カメラ１０２、１０３と、基地局を介して外部とデータを送受信する通信部１１０と、画像データおよび音声データを一時的に保存する記憶部１１２と、各部を制御する制御部１１４と、カメラ切り替えボタン１０４を含む操作部１０５とを有する。また、通話のためのマイク１１６およびスピーカ１１８が設けられている。なお、画像および音声のデータを符号化して送信し、受信するデータを復号化して元の画像および音声にして出力するテレビ電話の機能については、従来のテレビ携帯電話機と同様であるため、ここでは、詳細な説明を省略する。
【００１９】
カメラ１０２、１０３には、レンズ（不図示）と、レンズを通して取り込まれた光を電気信号に変換する撮像素子（不図示）とが設けられている。２つのカメラ１０２、１０３のレンズは、例えば、カメラ１０２は通常のレンズであり、カメラ１０３はカメラ１０２よりも視野角の広いレンズである。通常のレンズは視野角が約４６度である。カメラ１０３のレンズの視野角は最大で１８０度あればよい。視野角１８０度の場合が魚眼レンズに相当する。本実施例では、カメラ１０３のレンズに魚眼レンズを用いる。
【００２０】
制御部１１４は、プログラムにしたがって所定の処理を実行するＣＰＵ（Ｃｅｎｔｒａｌ  Ｐｒｏｃｅｓｓｉｎｇ  Ｕｎｉｔ）１４１と、プログラムを格納するためのメモリ１４２とを備えている。制御部１１４は、テレビ電話機能を実行する指示が入力されると、カメラ１０２を起動し、カメラ１０２の撮影した画像による画像データを通信部１１０および基地局を介してテレビ携帯電話機２０３に送信する。テレビ携帯電話機２０３から基地局および通信部１１０を介して音声データを受信すると、音声データによる音声をスピーカ１１８に出力させる。マイク１１６から音声が入力されると、入力される音声のデータを通信部１１０および基地局を介してテレビ携帯電話機２０３に送信する。
【００２１】
また、制御部１１４は、カメラ１０２、１０３のうち一方のカメラの動作中にカメラ切り替えボタン１０４が押されると、動作中のカメラを停止させるとともに、停止中の他方のカメラを起動する。そして、起動したカメラによる画像データをテレビ携帯電話機２０３に送信する。
【００２２】
次に、介助者側のテレビ携帯電話機の構成を、図２（ｂ）を参照して説明する。
【００２３】
図２（ｂ）に示すように、テレビ携帯電話機２０３は、基地局を介して外部とデータを送受信する通信部２１０と、画像データおよび音声データを一時的に保存する記憶部２１２と、画像データによる画像を表示する表示部２２０と、各部を制御する制御部２１４と、指示を入力するための操作部２０５とを有する。また、テレビ携帯電話機１０１と同様に、通話のためのマイク２１６およびスピーカ２１８が設けられている。
【００２４】
制御部２１４は、プログラムにしたがって所定の処理を実行するＣＰＵ２４１と、プログラムを格納するためのメモリ２４２とを備えている。制御部２１４は、テレビ携帯電話機１０１から基地局および通信部２１０を介して受信する画像データによる画像を表示部２２０に表示させ、受信する音声データによる音声をスピーカ２１８に出力させる。また、マイク２１６を介して入力される音声のデータを通信部２１０および基地局を介してテレビ携帯電話機１０１に送信する。
【００２５】
次に、本実施例のテレビ携帯電話機を用いたテレサポートを説明する。図３は本実施例のテレビ携帯電話機を用いてテレサポートを行う状況を示す図である。図４は本実施例のテレビ携帯電話機の動作手順を示すフローチャートである。
【００２６】
視覚障害者２０１は、遠隔地にいる介助者２０２のテレサポートを必要とすると、テレビ携帯電話機１０１を操作してテレビ携帯電話機２０３に電話をかける。視覚障害者２０１は、介助者２０２と通話を開始すると、テレビ携帯電話機１０１のカメラ１０２、１０３のいずれかを起動させ、テレビ電話機能を実行させる。
【００２７】
テレビ携帯電話機１０１は、起動したカメラによる画像データをテレビ携帯電話機２０３に送信する（ステップ１００１）。テレビ携帯電話機２０３は、テレビ携帯電話機１０１から画像データを受信すると、受信したデータによる画像を表示部２２０に表示する（ステップ１００２）。介助者２０２は、このようにして視覚障害者２０１の撮影した画像を入手する。
【００２８】
続いて、介助者２０２は、表示部２２０に表示される画像から読み取れる情報をマイク２１６に音声で入力する。テレビ携帯電話機２０３は、マイク２１６から入力された音声のデータをテレビ携帯電話機１０１に送信する（ステップ１００３）。テレビ携帯電話機１０１は、テレビ携帯電話機２０３から受信する音声データによる音声をスピーカ１１８から出力する（ステップ１００４）。このようにして、視覚障害者２０１の撮影した画像から読み取れる情報が、介助者２０２を介して視覚障害者２０１に伝わる。
【００２９】
ここで、視覚障害者２０１側のテレビ携帯電話機１０１から受け取る画像が視覚障害者２０１の要求する情報を読み取るのに最適でないと介助者２０２が判断した場合、介助者２０２は、視覚障害者２０１に対してカメラ切り替えを行うように依頼する。ステップ１００３で、テレビ携帯電話機２０３は、カメラ切り替えを依頼する旨の音声データをテレビ携帯電話機１０１に送信する。ステップ１００４で、テレビ携帯電話機１０１は、カメラ切り替えを依頼する旨の音声メッセージをスピーカ１１８から出力する（ステップ１００４）。
【００３０】
音声メッセージを受けて視覚障害者２０１がテレビ携帯電話機１０１のカメラ切り替えボタン１０４を押すと（ステップ１００７）、テレビ携帯電話機１０１が画像を撮影するカメラを切り替える（ステップ１００８）。そして、ステップ１００１に戻って、テレビ携帯電話機１０１は、切り替わったカメラによる画像データをテレビ携帯電話機２０３に送信する。このようにして、介助者２０２は、情報を読み取るのに最適な画像を取得することができる。テレサポートの必要がなくなれば、視覚障害者２０１および介助者２０２の操作によりテレビ携帯電話機１０１、２０３が動作を終了する（ステップ１００５、１００６）。
【００３１】
次に、本実施例のテレビ携帯電話機によるテレサポートの効果をより具体的に示す例を説明する。
【００３２】
視覚障害者２０１が物を落としてしまい、それを探してほしいと要求する場合、通常のレンズを用いたカメラ１０２で撮影した画像では視野角が狭く、介助者２０２がその画像から物を見つけだすことは困難である。このような状況では、介助者２０２は視覚障害者２０１にカメラ切り替えを依頼し、画像を撮影するカメラをカメラ１０２からカメラ１０３に切り替える。カメラ１０３のレンズは魚眼レンズであるため、非常に広角な画像をテレビ携帯電話機１０１は撮影することができる。その撮影画像をテレビ携帯電話機２０３に表示させることで、介助者２０２は物を探し出しやすくなる。
【００３３】
なお、本実施例では、カメラ切り替えボタン１０４を設けたが、操作部１０５に従来設けられているキーの操作でカメラ切り替えを行うようにしてもよい。
【実施例２】
【００３４】
本実施例は、視覚障害者側のテレビ携帯電話機のカメラ切り替えを介助者により可能にしたことを特徴とする。
【００３５】
本実施例のテレビ携帯電話機の構成を説明する。なお、実施例１と同様な構成については同一の符号を付し、その詳細な説明を省略し、実施例１と異なる点について詳細に説明する。
【００３６】
介助者側のテレビ携帯電話機２０３の制御部２１４で実行されるプログラムには、予め決められた操作手順で操作部２０５のキーを操作すると、カメラ切り替えを要求する旨の信号であるカメラ切替要求信号を外部に送信することが記述されている。制御部２１４は、操作部２０５の操作によりカメラ切り替え要求の指示が入力されると、カメラ切替要求信号を通信部２１０を介して通信中の情報端末に送信する。
【００３７】
図５は視覚障害者側のテレビ携帯電話機の外観を模式的に示す斜視図である。
【００３８】
テレビ携帯電話機４０１には、実施例１のカメラ１０２、１０３のそれぞれに相当するカメラ４０２、４０３が設けられている。本実施例では、実施例１のカメラ切り替えボタン１０４が設けられていなくてもよい。制御部１１４は、通信中の情報端末から通信部１１０を介してカメラ切替要求信号を受信すると、カメラ４０２、４０３のうち動作中のカメラを停止させ、停止中のカメラを起動させる。
【００３９】
テレビ携帯電話機１０１と異なる点は、テレビ携帯電話機４０１にはカメラ切り替えボタン１０４が設けられていなくもよい代わりに、カメラ切替要求信号を受信し、その信号にしたがって動作させるカメラを切り替える機能を有していることにある。
【００４０】
次に、本実施例のテレビ携帯電話機を用いたテレサポートを説明する。図６は本実施例のテレビ携帯電話機を用いてテレサポートを行う状況を示す図である。図７は本実施例のテレビ携帯電話機の動作手順を示すフローチャートである。なお、図７には示していないが、図４に示したように、動作手順の途中で音声データをやり取りしてもよい。
【００４１】
視覚障害者２０１は、遠隔地にいる介助者２０２のテレサポートを必要とすると、実施例１と同様にして、テレビ携帯電話機１０１のカメラ４０２、４０３のいずれかを起動させ、テレビ携帯電話機４０１にテレビ携帯電話機２０３とのテレビ電話機能を実行させる。テレビ携帯電話機４０１は、起動したカメラによる画像データをテレビ携帯電話機２０３に送信する（ステップ１１０１）。テレビ携帯電話機２０３は、テレビ携帯電話機４０１から画像データを受信すると、受信したデータによる画像を表示部２２０に表示する（ステップ１１０２）。
【００４２】
視覚障害者２０１側のテレビ携帯電話機４０１から受け取る画像が視覚障害者２０１の要求する情報を読み取るのに最適でないと介助者２０２が判断した場合、介助者２０２は、予め決められた操作手順で操作部２０５のキーを操作して、カメラ切り替えを要求する旨の指示を入力する。テレビ携帯電話機２０３は、カメラ切り替え要求の指示が入力されると（ステップ１１０４）、カメラ切替要求信号をテレビ携帯電話機４０１に送信する（ステップ１１０５）。
【００４３】
テレビ携帯電話機４０１は、テレビ携帯電話機２０３からカメラ切替要求信号を受信すると、画像を撮影するカメラを切り替える（ステップ１１０７）。そして、ステップ１１０１に戻って、テレビ携帯電話機４０１は、切り替わったカメラによる画像データをテレビ携帯電話機２０３に送信する。このようにして、テレビ携帯電話機４０１がカメラ切替要求信号にしたがって画像を撮影するカメラを切り替えることにより、視覚障害者２０１の手を煩わせることなく、介助者２０２が情報を読み取るのに適した画像を入手することができる。テレサポートの必要がなくなれば、視覚障害者２０１および介助者２０２の操作によりテレビ携帯電話機４０１、２０３が動作を終了する（ステップ１１０３、１１０６）。
【００４４】
次に、本実施例のテレビ携帯電話機によるテレサポートの効果をより具体的に示す例を説明する。
【００４５】
視覚障害者２０１が道路を横断する際にテレサポートを介助者２０２に依頼してきたが、カメラ１０２の撮影画像に歩行者用の信号が写っていないことがある。このとき、介助者２０２の操作により視野角の広いカメラ１０３に切り替えることで、画像に歩行者用の信号が写るようになる。そのため、介助者２０２からの連絡で視覚障害者２０１がカメラ１０２の撮影方向を変えるよりも、介助者２０２が歩行者用の信号や道路状況をより早く確認でき、道路横断のタイミングを逸することなく、視覚障害者２０１にそのタイミングが最適なときを伝えることができる。
【００４６】
また、視野角が広くなることで、介助者２０２は、歩行者用の信号だけでなく、道路状況をより広く把握することが可能となる。そのため、歩行者用の信号が「青」になってから無理に車が通過するような危険な状況を察知でき、道路の横断を待ってもらうように視覚障害者２０１に伝えることができる。
【００４７】
道路を横断するような場合では、交通状況が絶えず変化していることから、視覚障害者２０１の安全性を考えると、介助者２０２は交通状況を動画で確認する必要がある。
【００４８】
なお、介助者２０２によるカメラ切り替え要求指示の入力方法やテレビ携帯電話機２０３からのカメラ切替要求信号の送信方法は、上述の場合に限られず、他の方法であってもよい。
【００４９】
また、カメラ４０２、４０３をレンズの倍率が異なるカメラとし、介助者２０２によるテレビ携帯電話機２０３の操作により視覚障害者２０１のテレビ携帯電話機４０１のカメラの倍率が切り替え可能になるようにしてもよい。
【００５０】
また、実施例１および実施例２のいずれにおいても、筐体の一面に設けられるカメラの数は２つに限らず、３つ以上であってもよい。カメラの数が多いほど、視野角の選択肢が増える。
【実施例３】
【００５１】
本実施例は、視覚障害者側のテレビ携帯電話機のカメラの撮影方向を介助者により変更可能にしたことを特徴とする。
【００５２】
本実施例のテレビ携帯電話機の構成を説明する。なお、実施例１と同様な構成については同一の符号を付し、その詳細な説明を省略し、実施例１と異なる点について詳細に説明する。
【００５３】
介助者側のテレビ携帯電話機２０３の制御部２１４で実行されるプログラムには、予め決められた操作手順で、カメラの撮影方向を変更することと撮影角度が操作部２０５のキー操作により入力されると、カメラの撮影方向を変更することを要求する旨と撮影角度の情報を含む信号である撮影角度変更信号を外部に送信することが記述されている。
【００５４】
撮影角度の入力方法は、その値を直接入力する場合に限らず、所定のボタンを押す回数や押している時間の長さに対応して角度が決まるようにしてもよい。なお、撮影角度については、後で説明する。
【００５５】
制御部２１４は、操作部２０５の操作により撮影方向を変更する旨と撮影角度が入力されると、撮影角度変更信号を通信部２１０を介して通信中の情報端末に送信する。
【００５６】
図８は視覚障害者側のテレビ携帯電話機の外観を模式的に示す側面図である。
【００５７】
図８に示すように、テレビ携帯電話機７０１には、撮影方向を変更可能なカメラ７０２が筐体の側面７１０に設けられている。カメラ７０２の撮影方向を変化させる構成としては、モータ等によりカメラ７０２が可動であり、筐体に対するレンズ角度を変化させる機構を設けてもよいし、他の方法でもよい。図８に示すカメラ７０２の撮影方向の取り得る範囲は、側面７１０の垂直方向を０度とすると、０度を中心として図の上下４５度の範囲と、紙面の奥側と手前側にそれぞれ４５度の範囲である。
【００５８】
撮影角度の基準を側面７１０の垂直方向をｚ軸方向とし、図の上下方向をｙ軸とすると、図の上下方向の撮影角度はｚ軸からｙ軸への±４５度の任意の値をとる。また、図の奥側から手前側の方向をｘ軸とすると、図の奥側と手前側の撮影角度はｚ軸からｘ軸への±４５度の任意の値をとる。撮影角度は筐体に対するレンズ角度に相当する。なお、本実施例では、撮影角度の範囲をｚ軸から２軸方向に±４５度としているが、この範囲に限られない。
【００５９】
制御部１１４は、通信中の情報端末から通信部１１０を介して撮影角度変更信号を受信すると、その信号から撮影角度の情報を読み出し、読み出した撮影角度の方向にカメラ７０２を動かす。
【００６０】
次に、本実施例のテレビ携帯電話機を用いたテレサポートを説明する。図９は本実施例のテレビ携帯電話機を用いてテレサポートを行う状況を示す図である。図７のフローチャートを参照し、実施例２と異なる点を中心に説明する。
【００６１】
視覚障害者２０１は、遠隔地にいる介助者２０２のテレサポートを必要とすると、テレビ携帯電話機７０１のカメラ７０２を起動させ、テレビ携帯電話機７０１にテレビ携帯電話機２０３とのテレビ電話機能を実行させる。
【００６２】
視覚障害者２０１側のテレビ携帯電話機７０１から受け取る画像が視覚障害者２０１の要求する情報を読み取るのに最適でないと介助者２０２が判断した場合、介助者２０２は、予め決められた操作手順で操作部２０５のキーを操作して、撮影方向の変更を要求する旨の指示と撮影角度を入力する。テレビ携帯電話機２０３は、ステップ１１０４で、本実施例では、撮影方向の変更の指示と撮影角度が入力されるか否かを判定し、それが入力されると、ステップ１１０５で撮影角度変更信号をテレビ携帯電話機７０１に送信する。
【００６３】
テレビ携帯電話機７０１は、テレビ携帯電話機２０３から撮影角度変更信号を受信すると、ステップ１１０７で、本実施例では、その信号から撮影角度の情報を読み出し、読み出した撮影角度にカメラ７０２の方向を変える。その後、ステップ１１０１に戻って、テレビ携帯電話機７０１は、撮影方向を変更したカメラ７０２による画像データをテレビ携帯電話機２０３に送信する。
【００６４】
次に、本実施例のテレビ携帯電話機によるテレサポートの効果をより具体的に示す例を説明する。
【００６５】
テレビ電話中のある時点で視覚障害者２０１から送られてくる画像のもう少し左方向を見たいと介助者２０２が希望する場合には、介助者２０２がテレビ携帯電話機２０３を操作して、カメラ７０２が現在よりも左方向を向くように撮影方向を変更する指示を入力する。テレビ携帯電話機２０３は、視覚障害者２０１側のテレビ携帯電話機７０１に対して撮影角度変更信号を送信する。テレビ携帯電話機７０１は、撮影角度変更信号を受信すると、その信号に含まれる撮影角度にカメラを調整する。
【００６６】
その際、視覚障害者２０１はテレビ携帯電話機７０１を動かす必要がなく固定していればよいので、視覚障害者２０１に負担を強いることない。また、カメラの撮影方向を介助者２０２自身が調整できるため、介助者２０２は、適切な画像を入手でき、スムーズなサポートが可能になる。
【００６７】
なお、本実施例では、外部からの信号で撮影方向を変更可能にしているが、撮影方向を変更するための操作ボタンを視覚障害者側のテレビ携帯電話機に備え、視覚障害者２０１自身がそのボタンを操作してカメラの撮影方向を変更してもよい。
【００６８】
また、介助者２０２による撮影角度の変更指示の入力方法やテレビ携帯電話機２０３からの撮影角度変更信号の送信方法は、上述の場合に限られず、他の方法であってもよい。
【００６９】
また、テレビ携帯電話機７０１のカメラが倍率変更可能なレンズを備え、介助者２０２によるテレビ携帯電話機２０３の操作により視覚障害者２０１のテレビ携帯電話機７０１のカメラの倍率が変更可能になるようにしてもよい。
【００７０】
また、実施例１から実施例３において、介助者側もテレビ携帯電話機を用いる場合で説明したが、介助者２０２側の機器としては画像受信・表示と音声通話ができれば他の情報処理装置であってもよい。パーソナルコンピュータ（ＰＣ）と固定電話機の組み合わせなどそれ以外の機器でもよい。この組み合わせの場合には、視覚障害者側のテレビ携帯電話機がインターネットなどのネットワークを介してデータを送信する機能を備えるものとし、通話は固定電話機で行われ、ＰＣはネットワークを介して携帯電話機から画像を取得する。
【００７１】
さらに、携帯電話機はテレビ携帯電話機の場合に限られない。静止画を用いてテレサポートするようにしてもよい。バス停の時刻表など文字情報を読むサポートを介助者にしてもらう場合、動画だと撮影者の手振れにより文字が読みにくくなるおそれがあるが、ピントが合った状態で撮影された静止画であれば文字が読みやすくなる。
【００７２】
本発明では、視覚障害者をテレサポートする介助者が遠隔地にいても、本発明の携帯電話機から介助者の情報端末に撮影画像を送信し、視覚障害者の要求する情報に応じて撮影画像の視野角や撮影方向を変更することで、介助者は、情報を読み取るのに最適な画像を確保し、視覚障害者へのサポートをより容易にすることができる。
【００７３】
また、視覚障害者はテレビ携帯電話機を固定していればよく、介助者自身が撮影カメラの種類やその撮影方向を遠隔で操作できるようになるため、介助者の求める画像に素早く調整可能であり、スムーズなサポートが実現できる。
【図面の簡単な説明】
【００７４】
【図１】実施例１のテレビ携帯電話機の外観を示す模式図である。
【図２】実施例１のテレビ携帯電話機の一構成例を示すブロック図である。
【図３】実施例１のテレビ携帯電話機を用いたテレサポートの状況を示す図である。
【図４】実施例１のテレビ携帯電話機の動作手順を示すフローチャートである。
【図５】実施例２のテレビ携帯電話機の外観を模式的に示す斜視図である。
【図６】実施例２のテレビ携帯電話機を用いたテレサポートの状況を示す図である。
【図７】実施例２のテレビ携帯電話機の動作手順を示すフローチャートである。
【図８】実施例３のテレビ携帯電話機の外観を模式的に示す側面図である。
【図９】実施例３のテレビ携帯電話機を用いたテレサポートの状況を示す図である。
【符号の説明】
【００７５】
１０１、２０３、４０１、７０１    テレビ携帯電話機
１０２、１０３、４０２、４０３、７０２    カメラ
１０４    カメラ切り替えボタン
１１０    通信部
１１４    制御部
【図１】
2008147756.tif 000003
【図２】
2008147756.tif 000004
【図３】
2008147756.tif 000005
【図４】
2008147756.tif 000006
【図５】
2008147756.tif 000007
【図６】
2008147756.tif 000008
【図７】
2008147756.tif 000009
【図８】
2008147756.tif 000010
【図９】
2008147756.tif 000011